(57)【特許請求の範囲】
【請求項１】
底板を有し、かつ、上端部にフレームを有する筐体と、
間隔をもって平行に並べられた複数のフィン、及び該複数のフィンを貫通し間隔をもって高さ方向に並べられた伝熱管を有し、前記筐体内に配置された熱交換器と、
前記フレームに係合する支持部と、前記支持部の中央の一端部から垂直方向に延伸する支持片と、該支持片に立設され前記伝熱管を保持する係合片とを有し、前記熱交換器と前記底板との間に間隔を設けるように前記熱交換器を支持する支持部材と、
を備え、
前記支持部材は、正面視した状態でＴ字形状となっており、
前記支持部が前記フレームと係合することで前記熱交換器を高さ方向及び水平方向に支持し、
前記係合片が前記伝熱管を保持することで前記熱交換器を高さ方向に支持する
空気調和機の室外機。
【請求項２】
前記係合片は、高さ方向に複数立設されており、
複数の前記係合片は、前記支持片の長手方向において、一定の範囲内にある前記伝熱管と同じ一定の間隔で複数形成されている
請求項１に記載の空気調和機の室外機。
【請求項３】
前記係合片は、該係合片の間に切り欠き部を設けてバネ部を形成している
請求項２に記載の空気調和機の室外機。
【請求項４】
前記係合片は、前記伝熱管の最上段の伝熱管を少なくとも保持する
請求項１〜３の何れか一項に記載の空気調和機の室外機。
【請求項５】
前記支持部材は、
前記フレームと前記熱交換器の上端面との間に間隙を設ける
請求項１〜４の何れか一項に記載の空気調和機の室外機。
【請求項６】
前記支持部材は、可撓性の樹脂で成形されている
請求項１〜５の何れか一項に記載の空気調和機の室外機。
【請求項７】
前記伝熱管は、アルミニウム又はアルミニウムを含む合金で形成されている
請求項１〜６の何れか一項に記載の空気調和機の室外機。
【請求項８】
前記伝熱管は、扁平形状である
請求項１〜７の何れか一項に記載の空気調和機の室外機。
【請求項９】
前記熱交換器の下部に電気品箱と、
前記電気品箱の上部であって、前記熱交換器の下部に設けられた排水受けと、を備え、
前記排水受けは、前記電気品箱からの放熱を受ける
請求項１〜８の何れか一項に記載の空気調和機の室外機。
【請求項１０】
請求項１〜９の何れか一項に記載の空気調和機の室外機の製造方法であって、
前記フレームに前記支持部材を係合させる工程と、
前記係合片に前記伝熱管を保持させ、前記熱交換器と前記底板との間に間隔を設ける工程と、を有する
空気調和機の室外機の製造方法。
【発明の詳細な説明】
【技術分野】
【０００１】
本発明は、熱交換器を室外機の上部に固定する機構を備えた空気調和機の室外機、及び当該空気調和機の室外機の製造方法に関するものである。
【背景技術】
【０００２】
近年、ビル又は商業施設等に設置されている空気調和機の室外機は、室外機の背面側と左右の側面側に熱交換器を配置している。そして、室外機の上部にファンを設置し、ファンを駆動することで、室外機内部に負圧を生じさせ、室外機の周囲の空気を室外機内部に取り入れ、空気と、熱交換器内の冷媒との間で熱交換を行っている。【０００３】
熱交換器は、伝熱管がフィンを垂直方向に貫通する構成となっている。伝熱管は例えば、円管であって、円管内部を冷媒が移動することで円管から伝達される熱をフィンが放熱している。ここで、伝熱管を円管として示したが、例えば伝熱管を扁平状の扁平管にしてもよい。【０００４】
従来、熱交換器が複数ある場合、各々の熱交換器を高さ方向に複数積み重ねることで、熱交換器の伝熱管の列を増やす構造をした空気調和機の室外機が提案されている（例えば特許文献１参照）。高さ方向に複数積み重ねられた熱交換器において、下段側の熱交換器の上部には、上段側の熱交換器が下方に落下しないようにするための板金が配置されている。そして、下段側の熱交換器は当該板金を介して上段側の熱交換器を支持して固定している。【０００５】
特許文献１に記載された熱交換器は、下段側に設けられた熱交換器の下端部を支持するために底板が配置されている。しかし、底板には熱交換器から発生した結露水（ドレン水）が滞留してしまうため、結露水により熱交換器のフィンと伝熱管とが、氷結及び腐食してしまうことがある。【０００６】
そこで、室外機の底板にドレン水排水口を複数設け、熱交換器で生じた結露水をドレン水排水口から排水させ、熱交換器のフィン及び伝熱管の氷結及び腐食を防ぐ空気調和機の室外機が提案されている（例えば特許文献２参照）。【０００７】
また、従来の空気調和機の室外機は、室外機の底板に勾配を設け、当該勾配の下流側にドレン水排水口を設ける構造にすることで、勾配を利用し、底板に滞留した結露水をドレン水排水口から排出させている。【０００８】
また、例えば、空気調和機の室外機の底板の熱交換器が載置される位置に複数のルーバ状の切り起こしを設けることで、熱交換器で生じた結露水の排水効率を向上させつつ、底板の強度を向上させている空気調和機の室外機も提案されている（例えば特許文献３参照）。【０００９】
さらに、空気調和機の室外機内に設けられた熱交換器の最下段にヒートパイプを配置し、熱交換器で生じた結露水を加熱して結露水の氷結を回避する空気調和機の室外機が提案されている（例えば特許文献４参照）。
【先行技術文献】
【特許文献】
【００１０】
【特許文献１】特開２００９−７９８５１号公報
【特許文献２】特開２０１２−２２５５６３号公報
【特許文献３】特開平９−１４５０９５号公報
【特許文献４】特開２００７−１０２６９号公報
【発明の概要】
【発明が解決しようとする課題】
【００１１】
特許文献１に開示された空気調和機の室外機は、下段側の熱交換器を支える底板の強度を低下させることなく、上段側に配置された熱交換器を支持することができる。しかし、熱交換器が縦長に配置されるため、下段側の熱交換器を通過する外気の風量が低下してしまう。また、室外機の底板で下段側の熱交換器の下部を支持するため、熱交換器で生じた結露水が熱交換器の下部で氷結しやすくなる問題点があった。【００１２】
また、特許文献２に開示された空気調和機の室外機は、熱交換器の長辺部の左右の中間位置及び熱交換器の短辺部の前面側にドレン水排水口が設けられている。よって、熱交換器で生じた結露水は、底板に滞留せずに排水される。しかし、底板にドレン水排水口が複数設けられる構造であるため、底板の強度が低下すると共に、ドレン水排水口から風が流入してしまうため熱交換器を通過する風の流量が低下してしまうという問題点があった。【００１３】
また、空気調和機の室外機は、底板に勾配を設けることでドレン水排水孔の数を減らしているものの、勾配の角度によっては結露水が底板に滞留する場合がある。よって、熱交換器の下部と、底板との間に結露水が滞留することで、熱交換器の伝熱管が腐食したり、熱交換器の下部と、底板との間に滞留した結露水が氷結することで、熱交換器の伝熱管が折損したりする問題点があった。【００１４】
また、特許文献３に開示された空気調和機の室外機は、ルーバ状の切り起こしで底板の強度の低下を回避しつつ、結露水の排水を促進させているものの、全体として底板と熱交換器との間の開口面積が拡大しているため、熱交換器を通過する風の流量が低下してしまうという問題点があった。【００１５】
また、特許文献４に開示された空気調和機の室外機は、ヒートパイプが形成されているため、底板の形状が変形していない。よって、底板の強度を低下させないと共に、熱交換器を通過する風の流量を低下させていないものの、ヒートパイプを設けることで、コストが高くなる。また、ヒートパイプ用のヒーターが故障すれば結露水が底板に滞留する問題点があった。【００１６】
本発明は、上記のような課題を背景になされたものであり、熱交換器の下部に結露水を滞留させずに、かつ、熱交換器を通過する空気の流量を低下させない空気調和機の室外機、及び空気調和機の室外機の製造方法を得ることにある。
【課題を解決するための手段】
【００１７】
本発明に係る空気調和機の室外機は、底板を有し、かつ、上端部にフレームを有する筐体と、間隔をもって平行に並べられた複数のフィン、及び該複数のフィンを貫通し間隔をもって高さ方向に並べられた伝熱管を有し、前記筐体内に配置された熱交換器と、前記フレームに係合する支持部と、前記支持部の中央の一端部から垂直方向に延伸する支持片と、該支持片に立設され前記伝熱管を保持する係合片とを有し、前記熱交換器と前記底板との間に間隔を設けるように前記熱交換器を支持する支持部材と、を備え、前記支持部材は、正面視した状態でＴ字形状となっており、前記支持部が前記フレームと係合することで前記熱交換器を高さ方向及び水平方向に支持し、前記係合片が前記伝熱管を保持することで前記熱交換器を高さ方向に支持するものである。
【発明の効果】
【００１８】
本発明によれば、空気調和機の室外機は、フレームに係合する第一支持部、第一支持部の一端部から垂直方向に延伸する支持片、及び支持片に立設され伝熱管を保持する第二支持部を有する支持部材と、を備え、支持部材は、熱交換器と底板との間に間隔を設けるように熱交換器を支持するように構成する。このようにすることで、熱交換器の下部に結露水が滞留しない構造とすることができ、結露水の氷結による熱交換器の伝熱管及びフィンの折損を防ぎつつ、熱交換器を通過する空気の流量を低下させない空気調和機の室外機を得ることができる。
【図面の簡単な説明】
【００１９】
【図１】本発明の実施の形態１に係る空気調和機の室外機の概略斜視図である。
【図２】本発明の実施の形態１に係る空気調和機の室外機の熱交換器の支持構造を説明するための説明図である。
【図３】本発明の実施の形態１に係る空気調和機の室外機の熱交換器の平面視概略図である。
【図４】本発明の実施の形態１に係る空気調和機の室外機の熱交換器の正面視概略図である。
【図５】本発明の実施の形態１に係る空気調和機の室外機に係る支持部材の正面側からの概略斜視図である。
【図６】本発明の実施の形態１に係る空気調和機の室外機に係る支持部材の概略側面図である。
【図７】本発明の実施の形態１に係る空気調和機の室外機に係る支持部材の背面側からの概略斜視図である。
【図８】本発明の実施の形態１に係る空気調和機の室外機に係る支持部材が熱交換器を保持した状態を示す概略斜視図である。
【図９】本発明の実施の形態１に係る空気調和機の室外機に取り付けられている熱交換器が支持部材を介してフレームに取り付けられている状態を示す概略断面図である。
【図１０】本発明の実施の形態２に係る空気調和機の室外機内の熱交換器、排水受け及び電気品箱の状態を示す概略斜視図である。
【図１１】本発明の実施の形態２に係る空気調和機の室外機に設置される排水受けの概略拡大図である。
【図１２】本発明の実施の形態２に係る空気調和機の室外機に設置される熱交換器、排水受け及び電気品箱の概略断面図である。
【発明を実施するための形態】
【００２０】
以下、本発明の空気調和機の室外機の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００２１】
実施の形態１．
［空気調和機の室外機の構成］
図１は、本発明の実施の形態１に空気調和機の室外機の概略斜視図である。図１に示されるように、室外機１は外部表面側に筐体１１を有している。筐体１１の角部には、正面から見て、右側手前に右前面パネル２１、右前面パネル２１の背部側に右後面パネル２３、左側手前に左前面パネル２２、左前面パネル２２の背部側に左後面パネル（図示省略）を備えている。
【００２２】
右前面パネル２１及び左前面パネル２２の上端部には、前フレーム２５ａが橋架されている。右前面パネル２１及び右後面パネル２３の上端部には、右フレーム２６ｂが橋架されている。左前面パネル２２及び左後面パネルの上端部には、左フレーム２６ａが橋架されている。左後面パネル及び右後面パネル２３の上端部には、後フレーム２５ｂが橋架されている。なお、前フレーム２５ａ、後フレーム２５ｂ、左フレーム２６ａ、及び右フレーム２６ｂは、本発明における「フレーム」に相当する。また、前フレーム２５ａ、後フレーム２５ｂ、左フレーム２６ａ、及び右フレーム２６ｂをそれぞれ特に区別しない場合、フレーム２５ａ、２５ｂ、２６ａ、２６ｂと称する。
【００２３】
また、筐体１１の正面の下部には下前面パネル２７ａが設けられている。下前面パネル２７ａは、取り外し、又は開閉することが可能なものであり、作業者が筐体１１の内部をメンテナンス等を行う際に取り外し、又は開閉される。筐体１１の右側面の下部には右下パネル２８ｂが設けられている。筐体１１の左側面の下部には左下パネル（図示省略）が設けられている。筐体１１の背面側の下部には下後面パネル（図示省略）が設けられている。下前面パネル２７ａと同様、右下パネル２８ｂ、左下パネル、下後面パネルもパネルの取り外し、又は開閉することが可能であれば、作業者が筐体１１の内部をメンテナンス等を行うに際し取り外し、又は開閉が可能である。
【００２４】
筐体１１は、前後左右のそれぞれの側面に、筐体１１の内部に空気を吸い込む空気吸込口３２ａ、３２ｂを設けている。空気吸込口３２ａは、右前面パネル２１、左前面パネル２２、前フレーム２５ａ及び下前面パネル２７ａに囲まれて、形成されている。空気吸込口３２ｂは、右前面パネル２１、右後面パネル２３、右フレーム２６ｂ及び右後面パネル２３に囲まれて形成されている。同様に、筐体の左側面部及び後側面部にも空気吸込口（図示省略）が形成されている。
【００２５】
空気吸込口３２ａの中央部には、右前面パネル２１と左前面パネル２２を連結するように前ガード３０ａが設けられている。空気吸込口３２ｂの中央部には、右前面パネル２１と右後面パネル２３を連結するように右ガード３１ａが設けられている。同様に、筐体１１の左側面部の空気吸込口には、左ガード（図示省略）が設けられ、筐体１１の後側面部の空気吸込口には、後ガード（図示省略）が設けられている。
【００２６】
筐体１１の上部には、上面パネル２９が設けられ、上面パネル２９には、空気を吹き出すための開口部である空気吹出口３３が形成されている。また、筐体１１の上部には、ファン３４が設けられ、ファン３４が駆動することで、筐体１１の内部に負圧が生じ、筐体１１の前後左右に設けられた空気吸込口３２ａ等から空気が吸い込まれる。そして、筐体１１の内部に吸い込まれた空気は、ファン３４によって、空気吹出口３３から吹き出される。
【００２７】
なお、本実施の形態１において、空気調和機の室外機の筐体１１について上記のように例示したが、本発明はこれに限定されず、筐体１１に他の部材を追加するなど、構成要件を適宜変更してもよい。
【００２８】
図２は、本発明の実施の形態１に係る空気調和機の室外機の熱交換器の支持構造を説明するための説明図である。図２に示されるように、室外機１の内部の前後左右の側面には、４つの熱交換器５１が設けられている。各熱交換器５１は、前フレーム２５ａ、後フレーム２５ｂ、左フレーム２６ａ及び右フレーム２６ｂに、後述する支持部材６５を介して吊された状態で支持され、底板５２との間に間隔を設けている。各熱交換器５１は、上面パネル２９（図１参照）の内部に配置されたファン３４（図１参照）の近傍に設置されている。また、室外機１の内部の下部には、底板５２が設けられ、底板５２の上には後述する熱交換器支え５３、電気品箱８１及び排水受け８２が設けられている。また、底板５２は、熱交換器５１から滴下した結露水を貯留する機能を果たす。
【００２９】
各熱交換器５１の下部には、熱交換器支え５３が設けられているが、熱交換器支え５３は、必ずしも熱交換器５１の質量を支える目的で設けられたものではない。例えば、熱交換器支え５３は、室外機１の組み立て時に熱交換器５１を仮置きする場合、又は室外機１のサービスメンテナンス時に熱交換器５１を仮置きする場合に使用するものであり、熱交換器５１の質量を支える最低限の強度を持ち、樹脂性の簡易な作りとなっている。
【００３０】
なお、本実施の形態１において４つの熱交換器５１を用いた例を示したが、例えば平面視Ｌ字状の熱交換器を２つ用いて、筐体１１の４つの側面を熱交換器で覆うようにしたり、適宜、熱交換器の形状を変更させてもよい。また、本実施の形態１の図２において、熱交換器５１に複数の支持部材６５を設けた例を示したが、本発明はこれに限定されず、熱交換器５１に少なくとも１つの支持部材を設ければよい。これらのことは、後述する実施の形態２においても同様である。
【００３１】
図３は、本発明の実施の形態１に係る空気調和機の室外機の熱交換器の平面視概略図である。図３に示されるように、熱交換器５１は、水平方向に延伸し、高さ方向に多列に配置された伝熱管９０、及び伝熱管９０によって貫通される複数枚のフィン９３から構成されている。伝熱管９０は、扁平管であって、アルミニウム又はアルミニウムを含む合金で形成されている。伝熱管９０の端部のそれぞれは、Ｕ字状の配管部材９５により結合され、高さ方向に蛇行状となっている。伝熱管９０内には圧縮機（図示省略）から送られた冷媒が流通し、冷媒は伝熱管９０及びフィン９３を介して室外機１内を通過する空気との間で熱交換する。なお、本実施の形態１において、伝熱管９０を扁平管として説明したが、本発明はこれに限定されず、円形状の円管を用いてもよい。
【００３２】
図４は、本発明の実施の形態１に係る空気調和機の室外機の熱交換器の正面視概略図である。図４に示されるように、伝熱管９０は、室外機１の外部側から、室外機１の内部側に多列に配置されている。ここで、室外機１の内部側のファン３４に最も近い伝熱管を第２伝熱管９２とし、空気の吸込口側の伝熱管を第１伝熱管９１と称する。なお、本実施の形態１において、第１伝熱管９１が１列設けられている例を示したが、本発明はこれに限定されず、室外機１の性能等に応じ、第１伝熱管９１を２列以上設けてもよい。
【００３３】
図５は、本発明の実施の形態１に係る空気調和機の室外機に係る支持部材の正面側からの概略斜視図である。また、図６は、本発明の実施の形態１に係る空気調和機の室外機に係る支持部材の概略側面図である。図５及び図６に示されるように、支持部材６５は、第１支持片１０１、第２支持片１０２、第３支持片１０３、第４支持片１０４、係合片集合体１０５、第１突っ張り部１０６、及び後述する第２突っ張り部１０７によって一体的に構成され、支持部材６５は、可撓性を有する樹脂で形成されている。
【００３４】
支持部材６５の上部は、第一支持部１００を備えている。第一支持部１００は、板状の第１支持片１０１、第２支持片１０２、及び第３支持片１０３により、角部が直角のＵ字状に形成されたものである。支持部材６５は、第一支持部１００の開放面から、前フレーム２５ａ、後フレーム２５ｂ、左フレーム２６ａ及び右フレーム２６ｂがそれぞれ挿入される。そして、前フレーム２５ａ、後フレーム２５ｂ、左フレーム２６ａ及び右フレーム２６ｂの上端面に、第１支持片１０１を係合させることで、支持部材６５は、前フレーム２５ａ、後フレーム２５ｂ、左フレーム２６ａ及び右フレーム２６ｂに支持される。
【００３５】
第１支持片１０１は、熱交換器５１の上端面の長手方向に沿った向きが第１支持片１０１の長手方向となっている。支持部材６５の第１支持片１０１は、前フレーム２５ａ等に係合し、熱交換器５１を支持するので、支持部材６５は、熱交換器５１の重さを支えることができる程度の強度が確保されていればよい。
【００３６】
図５に示されるように、支持部材６５は、第３支持片１０３の下方の中央部から垂直に延伸する細長い板状の第４支持片１０４を備えている。これにより、第一支持部１００と第４支持片１０４とにより、支持部材６５は正面視した状態でＴ字形状をなしている。第４支持片１０４には、Ｕ字状の第一支持部１００の開放面と同じ向きの面に係合片集合体１０５を備えている。係合片集合体１０５は、後述する複数の係合片１１１から構成されるものであり、この複数の係合片１１１は、第４支持片１０４の長手方向に沿って、直列（一列）に立設されている。係合片１１１は、熱交換器５１の伝熱管９０を保持するものであるため、各々の係合片１１１の間隔は伝熱管９０の配置に対応して予め定めた間隔で形成されている。なお、係合片１１１は、例えば、くし形状で構成されている。なお、第４支持片１０４は、本発明における「支持片」に相当する。また、係合片１１１は、本発明における「第二支持部」に相当する。なお、本実施の形態１において、係合片１１１が第４支持片の長手方向に沿って一列に立設された例を示したが、本発明はこれに限定されず、係合片１１１を二列以上設けてもよい。例えば係合片１１１を二列以上設けて場合は、より安定的に熱交換器５１を保持することができる。
【００３７】
図５及び図６に示されるように、係合片１１１の側面は第１側面部１０８ａと、第１側面部１０８ａに対向する面である第２側面部１０８ｂとにより形成されている。また、係合片１１１の先端部は、第１端部１０９と、第２端部１１０とにより形成されている。係合片１１１の背面側は第４支持片１０４と一体的に形成されている。
【００３８】
図６に示されるように、係合片１１１は、切り欠き形状に形成された、伝熱管９０を挿入させる伝熱管挿入部１１２と、伝熱管挿入部１１２から挿入された伝熱管９０を保持する伝熱管保持部１１３とを有している。伝熱管挿入部１１２は、係合片１１１の第１端部１０９と、第２端部１１０との間を、第１側面部１０８ａから、第２側面部１０８ｂへ貫通させた切り欠きである。そして、この切り欠きにより伝熱管保持部１１３が形成される。
【００３９】
係合片１１１には伝熱管９０が伝熱管挿入部１１２から挿入され、挿入された伝熱管９０は伝熱管保持部１１３で保持される。つまり、係合片１１１は、伝熱管９０が差し込まれる構造となっている。さらに、係合片１１１と係合片１１１との間には、第１側面部１０８ａと、第２側面部１０８ｂとを貫通させた切り欠き状の切り欠き部１１６が設けられ、切り欠き部１１６により、伸縮性のあるバネ部１１４が形成されている。このバネ部１１４により、作業者は工具を用いることなく支持部材６５を熱交換器５１の伝熱管９０に取り付けることができる。また、係合片１１１は、伝熱管保持部１１３に伝熱管９０が差し込まれることで、強度を確保することができる。さらに、係合片１１１を含む支持部材６５は、可撓性を有する樹脂であるため、伝熱管９０に多少の寸法のばらつきがあったとしても、そのばらつきに起因するずれ等を修正することができ、公差の範囲が広くなっている。
【００４０】
図７は、本発明の実施の形態１に係る空気調和機の室外機に係る支持部材の背面側からの概略斜視図である。図７に示されるように、第１突っ張り部１０６は、上部に設けられた第１突っ張り上部１０６ａと、第１突っ張り上部１０６ａの下部に設けられ、下方に傾斜を有する第１突っ張り下部１０６ｂとにより構成されている。第１突っ張り上部１０６ａは、第１支持片１０１、第２支持片１０２、第３支持片１０３から構成される第一支持部と一体的に形成されている。一方、第１突っ張り下部１０６ｂは、第３支持片１０３と一体的に形成され、第１支持片１０１及び第２支持片１０２を支持する。支持部材６５は、第１突っ張り部１０６を備えることにより、支持部材６５の強度が強化される。
【００４１】
第２突っ張り部１０７は、第１突っ張り部１０６、第３支持片１０３、及び第４支持片１０４と一体的に形成されている。第２突っ張り部１０７は、第１支持片１０１、第２支持片１０２、第３支持片１０３から構成される第一支持部１００に対して左右対称となる位置に形成され、第２突っ張り部１０７は、第１支持片１０１、第２支持片１０２、第３支持片１０３及び第４支持片１０４を支持している。第１突っ張り部１０６と同様に、支持部材６５は、第２突っ張り部１０７を備えることにより、支持部材６５の強度が強化される。
【００４２】
なお、上記の説明では、支持部材６５が可撓性の樹脂で形成されている一例について説明したが、本発明はこれに限定されない。例えば、支持部材６５は、可撓性を有する絶縁体で形成されていてもよい。また、支持部材６５は、例えば、溶解した物質を金型に流し込んで成形されてもよく、プレス加工で成形されてもよく、切削加工で成形されてもよく、加工方法については特に限定されない。また、支持部材６５は、熱交換器５１で発する熱を大幅に超えた熱で軟化する熱可塑性の樹脂であってもよい。
【００４３】
また、支持部材６５は、支持部材６５の内部を導体で成型し、支持部材６５の外側表面を絶縁体でコーティングしたものであってもよい。例えば、伝熱管９０が、アルミニウム又はアルミニウムを含む合金で形成されていると想定すると、支持部材６５が絶縁性の部材であれば、結露水を介して、伝熱管９０と、支持部材６５とが導通することはない。換言すれば、支持部材６５は、伝熱管９０と接する部分に関しては、伝熱管９０のようなアルミニウム等の金属以外の絶縁性を有する材質で形成されている。よって、伝熱管９０と、支持部材６５との間で、結露水が滞留したとしても、導通することがないため、異種金属が接触することに起因する腐食を回避することができる。
【００４４】
図８は、本発明の実施の形態１に係る空気調和機の室外機に係る支持部材が熱交換器を保持した状態を示す概略斜視図である。室外機１には、前フレーム２５ａ、後フレーム２５ｂ、左フレーム２６ａ及び右フレーム２６ｂがあるが、各フレームの構造は同じであるため、以下、前フレーム２５ａに支持部材６５が係合している場合を例として説明する。
【００４５】
図８に示されるように、支持部材６５の第一支持部１００は、前フレーム２５ａに水平方向に係合している。そして、熱交換器５１の伝熱管９０の内、ファン３４に最も近く、かつ熱交換器５１の上部側の第２伝熱管９２が、伝熱管挿入部１１２（図６参照）を介して挿入され、支持部材６５の伝熱管保持部１１３により高さ方向に渡って保持されている。つまり、第２伝熱管９２と伝熱管保持部１１３との接触面だけで、熱交換器５１を吊り上げて、熱交換器５１と底板５２（図２参照）との間に間隔を設けて、熱交換器５１を筐体１１の上部側に保持している。なお、伝熱管保持部１１３に保持される第２伝熱管９２は、熱交換器５１の一定の範囲内（上部側）に設けられているものである。そして、係合片１１１の伝熱管保持部１１３は、第２伝熱管９２の内、少なくとも最上段の第２伝熱管９２を保持する。
【００４６】
このように、支持部材６５は、前フレーム２５ａと係合することで、熱交換器５１を高さ方向及び水平方向に支持する。また、係合片１１１の伝熱管保持部１１３は第２伝熱管９２を保持することで、熱交換器５１を高さ方向に支持する。
【００４７】
なお、本実施の形態１において、伝熱管保持部１１３に第２伝熱管９２が縦一列のみ保持されている例を示したが、本発明はこれに限定されず、同一の伝熱管保持部１１３に伝熱管９０（第１伝熱管９１及び第２伝熱管９２）を多数列、保持させてもよい。同一の伝熱管保持部１１３に多数列の伝熱管９０を保持させた場合、熱交換器５１がより安定して保持されるという効果を得ることができる。
【００４８】
図９は、本発明の実施の形態１に係る空気調和機の室外機に取り付けられている熱交換器が支持部材を介してフレームに取り付けられている状態を示す概略断面図である。図９は、例えば、支持部材６５を前フレーム２５ａに係合させた場合を示している。図９に示されるように、支持部材６５の複数の係合片１１１のそれぞれは、第４支持片１０４の長手方向に沿って、第２伝熱管９２のそれぞれの配置に対応して予め定められた一定の間隔で形成されている。ただし、係合片１１１は、熱交換器５１を支持部材６５に取り付けた際に、前フレーム２５ａと熱交換器５１の上端面との間に隙間２０１ができるような位置に設けられている。このようにすることで、熱交換器５１と、熱交換器５１の上部に配置された前フレーム２５ａとが干渉することなく、熱交換器５１の破損を防止することが可能となる。
【００４９】
ここで、ファン３４（図１参照）が駆動しているとすると、筐体１１の周囲の空気が空気吸込口から吸い込まれ、図９の矢印で示すように熱交換器５１へ風２１１が流れ出す。支持部材６５は、風２１１の流れ方向に沿ってファン３４の近傍に配置されているため、風速の最も速いところで、熱交換器５１に風が流れる。このため、熱交換器５１で発生した結露水は、熱交換器５１に滞留することなく、室外機１の下部へ滴下する。
【００５０】
また、支持部材６５は、可撓性の樹脂で形成されているため、室外機１の運転に伴う振動、又は室外機１の輸送に伴う振動が生じたとしても、支持部材６５は、振動等を吸収して熱交換器５１を支持することができる。これにより、熱交換器５１が脱落する事態を確実に回避することができる。
【００５１】
なお、上記の説明で支持部材６５が前フレーム２５ａに係合された場合を一例として示したが、支持部材６５が後フレーム２５ｂ、左フレーム２６ａ及び右フレーム２６ｂに係号した場合も同様に、各フレームと熱交換器５１との間には隙間２０１が設けられる。
【００５２】
次に、熱交換器５１を支持部材６５で保持する室外機１の製造方法について説明する。まず、支持部材６５の第一支持部１００を前フレーム２５ａ、後フレーム２５ｂ、左フレーム２６ａ及び右フレーム２６ｂに係合させる。次に、室外機１の外部側から熱交換器５１を支持部材６５に取り付ける。この際、熱交換器５１の伝熱管９０の内、少なくとも第２伝熱管９２が支持部材６５の伝熱管保持部１１３に保持されるように取り付ける。このようにすることで、熱交換器５１をファン３４の近傍に容易に取り付けることができ、熱交換器５１を通過する空気の風量の低下を防ぐ空気調和機の室外機１を得ることができる。また、熱交換器５１が支持部材６５に吊されることにより、熱交換器５１が底板５２に滞留したドレン水と接することがなくなるため、伝熱管９０の氷結及び腐食を防止することができる空気調和機の室外機１を得ることができる。
【００５３】
［実施の形態１の効果］
以上のことから、本実施の形態１によれば、底板５２及び上端部に各フレーム２５ａ、２５ｂ、２６ａ、２６ｂを有する筐体１１と、間隔をもって平行に並べられた複数のフィン９３、及び該複数のフィン９３を貫通し間隔をもって高さ方向に並べられた伝熱管９０を有し、前記筐体１１内に配置された熱交換器５１と、前記フレーム２５ａ、２５ｂ、２６ａ、２６ｂに係合する第一支持部１００、該第一支持部１００の一端部から垂直方向に延伸する第４支持片１０４、及び該第４支持片１０４に立設され前記伝熱管９０を保持する係合片１１１を有する支持部材６５と、を備え、前記支持部材６５は、前記熱交換器５１と前記底板５２との間に間隔を設けるように前記熱交換器５１を支持するようにする。このようにすることで、室外機１の底板５２にドレン水排水口を複数設ける必要がなくなり、熱交換器５１を通過する風の流量を低下させることのない空気調和機の室外機１を得ることができる。また、上段側に配置された熱交換器５１を支持部材６５で支持することで、運転に伴う振動又は輸送に伴う振動が生じたとしても、上段側に配置された熱交換器５１の脱落を確実に低コストで回避することができる空気調和機の室外機１を得ることができる。さらに、熱交換器５１を筐体１１の上部にあるフレーム２５ａ、２５ｂ、２６ａ、２６ｂに吊すことで、熱交換器５１の下部と底板５２との間に結露水が滞留しなくなり、当該結露水が氷結することによる伝熱管９０の折損を回避することができる空気調和機の室外機１を得ることができる。さらに、熱交換器５１をファン３４の近傍に吊すことで、熱交換器５１を通過する空気の流量を低下させない空気調和機の室外機１を得ることができる。
【００５４】
また、前記支持部材６５は、前記第一支持部１００が、前記フレーム２５ａ、２５ｂ、２６ａ、２６ｂと係合することで前記熱交換器５１を高さ方向及び水平方向に支持し、前記係合片１１１が、前記伝熱管９０を保持することで、前記熱交換器５１を高さ方向に支持する。このようにすることで、熱交換器５１を安定して室外機１に保持することが可能となる。
【００５５】
また、前記係合片１１１を高さ方向に複数設け、複数の前記係合片１１１は、前記第４支持片１０４の長手方向において、一定の範囲内にある前記伝熱管９０と同じ間隔をもって複数形成されている。このようにすることで、複数の係合片１１１で、各々の伝熱管９０を保持することができ、１つの係合片１１１で熱交換器５１を保持する場合よりも、より安定して熱交換器５１を保持することが可能となる。
【００５６】
また、前記支持部材６５は、前記フレーム２５ａ、２５ｂ、２６ａ、２６ｂと前記熱交換器５１の上端面との間に間隙を設ける。このようにすることで、熱交換器５１と、熱交換器５１の上部に配置されたフレーム２５ａ、２５ｂ、２６ａ、２６ｂとが干渉することがなくなり、熱交換器５１の破損を防止することが可能となる。
【００５７】
また、前記係合片１１１は、係合片１１１の間に切り欠き部１１６を設けてバネ部１１４を形成している。このようにすることで、バネ部１１４により、作業者は工具を用いることなく支持部材６５を熱交換器５１の伝熱管９０に取り付けることができる。
【００５８】
また、前記支持部材６５は、可撓性の樹脂で成形されている。これにより、熱交換器５１に振動や衝撃が加わった場合でも、支持部材６５の可撓性により、振動等を吸収して安定して熱交換器５１を保持することが可能となる。
【００５９】
また、前記伝熱管９０は、熱伝導の良いアルミニウム又はアルミニウムを含む合金で形成されている。これにより、伝熱管９０内を流れる冷媒の放熱又は吸熱が行いやすくなる。
【００６０】
また、前記伝熱管９０は、扁平形状である。これにより、円管状の伝熱管に比べて、表面積が大きくなり、放熱又は吸熱が行いやすくなる。
【００６１】
実施の形態２．
本実施の形態２における空気調和機の室外機の基本的な構成は実施の形態１における空気調和機の室外機と同様であるため、以下、実施の形態１との相違点を中心に本実施の形態２を説明する。実施の形態１と本実施の形態２との相違点は、室外機の内部の電気品箱の上部に排水受けを設ける点である。
【００６２】
図１０は、本発明の実施の形態２に係る空気調和機の室外機内の熱交換器、排水受け及び電気品箱の状態を示す概略斜視図である。図１０に示されるように、室外機１の熱交換器５１の下部には電気品箱８１が設けられている。電気品箱８１の上部に熱交換器５１からの結露水が排水されると、電気品箱８１の内部に結露水が浸水し、絶縁不良の不具合が生じる。よって、熱交換器５１からの結露水を確実に排水する構造が必要となる。そこで、図１０に示すように、排水受け８２を電気品箱８１の上部に設け、熱交換器５１から滴下した結露水を排水受け８２で受けとめて、結露水を室外機１の外へ排水する。
【００６３】
図１１は、本発明の実施の形態２に係る空気調和機の室外機に設置される排水受けの概略拡大図である。図１１に示されるように、排水受け８２には、溝８６が形成されており、熱交換器５１から滴下した結露水は、溝８６に落ち、溝８６に沿って流れることで、室外機１の外へ排水される。
【００６４】
図１２は、本発明の実施の形態２に係る空気調和機の室外機に設置される熱交換器、排水受け及び電気品箱の概略断面図である。外気温度が氷点下の環境では、熱交換器５１から流れ出た結露水が排水受け８２の中で氷結することがあり、この場合、排水受け８２の排水機能が働かなくなる。このため、排水受け８２で受けた結露水を外気温度に関係なく室外機１の外へ排水する必要がある。そこで、図１２に示すように、排水受け８２を電気品箱８１の上部に配置し、電気品箱８１内の内部構造物８７から発せられる放熱８３を利用することで排水受け８２が外気温度の影響を受けることがないようにする。なお、この際、高温になる内部構造物８７を電気品箱８１の上部に配置することで効率よく放熱８３の効果を得ることができる。また、排水受け８２の内、電気品箱８１が下部にない箇所においては、排水受け８２の溝８６に勾配８４を持たせると共に、溝８６に厚み８５を確保して外気を遮断する。
【００６５】
［実施の形態２の効果］
以上のことから、本実施の形態２によれば、前記熱交換器５１の下部に電気品箱８１と、前記電気品箱８１の上部であって、前記熱交換器５１の下部に設けられた排水受け８２と、を備え、前記排水受け８２は、前記電気品箱８１からの放熱を受ける構成とする。このようにすることで、実施の形態１の効果に加えて、熱交換器５１から滴下した結露水が電気品箱８１の内部に浸入することで発生する絶縁不良の不具合を回避する効果を得ることもできる。
【００６６】
以上、実施の形態１〜２について説明したが、本発明は各実施の形態の説明に限定されない。例えば、各実施の形態の全て又は一部を組み合わせることも可能である。
【符号の説明】
【００６７】
１  室外機、１１  筐体、２１  右前面パネル、２２  左前面パネル、２３  右後面パネル、２５ａ  前フレーム、２５ｂ  後フレーム、２６ａ  左フレーム、２６ｂ  右フレーム、２７ａ  下前面パネル、２８ｂ  右下パネル、２９  上面パネル、３０ａ  前ガード、３１ａ  右ガード、３２ａ  空気吸込口、３２ｂ  空気吸込口、３３  空気吹出口、３４  ファン、５１  熱交換器、５２  底板、５３  熱交換器支え、６５  支持部材、８１  電気品箱、８２  排水受け、８３  放熱、８４  勾配、８５  厚み、８６  溝、８７  内部構造物、９０  伝熱管、９１  第１伝熱管、９２  第２伝熱管、９３  フィン、９５  配管部材、１００  第一支持部、１０１  第１支持片、１０２  第２支持片、１０３  第３支持片、１０４  第４支持片、１０５  係合片集合体、１０６  第１突っ張り部、１０６ａ  第１突っ張り上部、１０６ｂ  第１突っ張り下部、１０７  第２突っ張り部、１０８ａ  第１側面部、１０８ｂ  第２側面部、１０９  第１端部、１１０  第２端部、１１１  係合片、１１２  伝熱管挿入部、１１３  伝熱管保持部、１１４  バネ部、１１６  切り欠き部、２０１  隙間、２１１  風。
【図１】
0006469221.tif 000002
【図２】
0006469221.tif 000003
【図３】
0006469221.tif 000004
【図４】
0006469221.tif 000005
【図５】
0006469221.tif 000006
【図６】
0006469221.tif 000007
【図７】
0006469221.tif 000008
【図８】
0006469221.tif 000009
【図９】
0006469221.tif 000010
【図１０】
0006469221.tif 000011
【図１１】
0006469221.tif 000012
【図１２】
0006469221.tif 000013